(57)【要約】      （修正有）【課題】識別しやすく、及び全体的に美観効果を高める発光栓の構造を提供する。【解決手段】主に導光体１０、発光モジュール２０、電源モジュール３０、蓋４０及び軟性スリーブ５０で構成し、瓶の口に使用する発光栓の構造である。導光体１０は透光性のある材質で構成することができ、導光体１０に含まれるのは導光ホルダ１１及び導光ホルダ１１と接続する導光柱１２であり、且つ導光ホルダ１１は収納スペースを具有する。発光モジュール２０は収納スペースの中に設置し、発光モジュール２０に含まれるのは回路基板２１及び該回路基板２１と電気接続する発光部品２２である。電源モジュール３０を該収納スペースの中に設置し、それに含まれるのはバッテリー３１及び接続部品３２である。接続部品３２は回路基板３２と電気接続する。蓋４０を導光ホルダ１１に結合し、且つ収納スペースを閉じる。軟性スリーブ５０は透光性のある材質で構成する。軟性スリーブ５０を導光柱１２の外に套合し、瓶の口の中に詰められる。【選択図】図５
0003213210.tif 000002
【実用新案登録請求の範囲】
【請求項１】
一つの導光体１０、一つの発光モジュール２０、一つの電源モジュール３０、一つの蓋４０及び一つの軟性スリーブ５０を含み、
該一つの導光体１０は透光性のある材質で構成することができ、該導光体１０に含まれるのは一つの導光ホルダ１１及び該導光ホルダ１１と接続する一つの導光柱１２であり、且つ該導光ホルダ１１は一つの収納スペース１１０を具有し、  
該一つの発光モジュール２０は該収納スペース１１０の中に設置し、該発光モジュール２０に含まれるのは一つの回路基板２１及び該回路基板２１と電気接続する一つの発光部品２２であり、
該一つの電源モジュール３０を該収納スペース１１０の中に設置し、該電源モジュール３０は少なくとも一つのバッテリー３１及び少なくとも一つのバッテリー３１と電気接続する一つの接続部品３２であり、
該一つの蓋４０を該導光ホルダ１１に結合し、且つ該収納スペース１１０を閉じ、及び、
該一つの軟性スリーブ５０は透光性のある材質で構成し、該軟性スリーブ５０を該導光柱１２の外に套合し、且つ該瓶の口２の中を詰めることができることを特徴とする発光栓１の構造。
【請求項２】
前記該導光柱１２の外縁面は螺旋状に一つの導光リブ１２１を成型することを特徴とする請求項１記載の発光栓１の構造。
【請求項３】
前記該導光柱１２の外縁面は更にスティプリング、印刷模様或いは彫刻などの導光模様１２０を設置することを特徴とする請求項１記載の発光栓１の構造。
【請求項４】
更に一つの密閉リング６０を含み、該密閉リング６０を該導光ホルダ１１及び該蓋４０の間に設置し、該導光ホルダ１１は該収納スペース１１０に一つのリング溝１１１を成型し、該蓋４０は該リング溝１１１の上方の位置に対応して一つの圧盤４０１を具有し、該密閉リング６０を該リング溝１１１内に設置し、且つ該圧盤４０１によって押えられることを特徴とする請求項１記載の発光栓１の構造。
【請求項５】
前記該導光ホルダ１１の該導光柱１２に近い片側に一つの導光角１１３を具有し、該導光ホルダ１１の内壁面には更に一つの反射層１１４を設置することを特徴とする請求項１記載の発光栓１の構造。  
【請求項６】
前記該該導光ホルダ１１の内壁面は該リング溝１１１の底部に複数の抵触リブ１１２を成型し、該複数の抵触リブ１１２はしっかり該蓋４０に張り付き、該蓋４０に含まれるのは一つの蓋ボード４１及び該蓋ボード４１に接続する複数の支え部４２であり、該複数の抵触リブ１１２は該複数の支え部４２の外側と抵触することを特徴とする請求項４記載の発光栓１の構造。
【請求項７】
前記該蓋ボード４１は一つの凹溝４１０を具有し、該蓋ボード４１は該凹溝４１０の中に一つの定位部４１１を成型し、前記発光栓１は該定位部４１１に力を加えることにより、前記瓶の口２に相対して移動できることを特徴とする請求項６記載の発光栓１の構造。
【請求項８】
前記該発光モジュール２０は更に一つの設置台２３を含み、該設置台２３に該回路基板２１を載せ、且つ該発光部品２２に対応して一つの穴２３０を設け、該発光部品２２の一部を該穴２３０の中に定位し、別の一部を該導光ホルダ１１の中に定位することを特徴とする請求項１記載の発光栓１の構造。
【請求項９】
前記該軟性スリーブ５０に含まれるのは一つの引受部５１及び一つの回転固定部５２であり、該引受部５１は該導光ホルダ１１の底部に抵触し、該回転固定部５２の外縁面は螺旋状の一つの密閉リブ５２１に成型することを特徴とする請求項１記載の発光栓１の構造。
【請求項１０】
前記該導光柱１２の外縁面に螺旋状の一つの導光リブ１２１に成型し、該軟性スリーブ５０は該導光リブ１２１に対応し、螺旋状の一つの導光溝５０１を成型し、該導光リブ１２１は該導光溝５０１の中に定位することを特徴とする請求項１記載の発光栓１の構造。
【考案の詳細な説明】
【技術分野】
【０００１】
本考案は栓の構造に関し、特に発光栓の構造に関する。
【背景技術】
【０００２】
多くの酒瓶にはいずれも栓を設置している。瓶を開けると、一度に飲み切ることができないことがある。よって、酒瓶の中に飲み残したお酒があると、栓を使って瓶の口を閉じ、空気が中に入るのを防止し、長期に保存できる効果に達する。
【０００３】
更に栓のデザインは、しっかり瓶の口を閉じるほか、使用する瓶のボディに対応して映えるものであれば、デザイン性を高めることができ、外観全体のイメージが良くなり、消費者を惹き付けて購買意欲を高める。よって、如何にして斬新な栓の構造をデザインし、別途に機能を付け加え、識別しやすく、或いは美観効果を高められるものを案出する必要があった。
【先行技術文献】
【特許文献】
【０００４】
【特許文献１】実用新案登録第3147048号公報
【考案の概要】
【考案が解決しようとする課題】
【０００５】
前記公知構造の欠点を解決するため、本考案は一種の発光栓を案出し、斬新な栓の構造を持って、識別しやすく、及び全体的に美観効果を高める発光栓を提供することを主な課題とする。
【課題を解決するための手段】
【０００６】
上述の目的を解決するために、本考案は瓶の口に使用する発光栓の構造を提供するものである。それに含まれるのは導光体、発光モジュール、電源モジュール、蓋及び軟性スリーブである。導光体は透光性のある材質で構成することができ、導光体に含まれるのは導光ホルダ及び導光ホルダと接続する導光柱であり、且つ導光ホルダは収納スペースを具有する。発光モジュールは収納スペースの中に設置し、発光モジュールに含まれるのは回路基板及び該回路基板と電気接続する発光部品である。電源モジュールを該収納スペースの中に設置し、それに含まれるのはバッテリー及び接続部品である。接続部品は該回路基板と電気接続する。蓋を導光ホルダに結合し、且つ収納スペースを閉じる。軟性スリーブは透光性のある材質で構成する。軟性スリーブを導光柱の外に套合し、瓶の口の中に詰められることで、識別しやすくなり、及び全体的に美観効果を高める。
【０００７】
従来技術と比べ、本考案の発光栓に含まれるのは導光体、発光モジュール、電源モジュール及び軟性スリーブである。その中、導光体には導光ホルダ及び導光柱を含み、発光モジュール及び電源モジュールは導光ホルダに設置する。その他、導光体及び軟性スリーブはいずれも透光性のある材質で構成する。それにより発光部品が発する光は導光ホルダ及び該導光柱に投射し、且つ導光ホルダを通じて外部に投射する。また一方で、導光柱にまで投射する光は、更に軟性スリーブを通して瓶の口にまで投射することで、発光栓が瓶の口の近くも発光効果を具有することになり、識別しやすくなり、及び全体的に美観効果を高める。
【考案の効果】
【０００８】
本考案の発光栓の構造により、瓶の口の近くも発光効果を具有することになり、識別しやすくなり、及び全体的に美観効果を高める。
【図面の簡単な説明】
【０００９】
【図１】本考案の発光栓の片側方向から見た立体外観略図である。
【図２】本考案の発光栓の別側方向から見た立体外観略図である。
【図３】本考案の発光栓の立体分解略図である。
【図４】本考案の発光モジュールと電源モジュールの立体分解略図である。
【図５】本考案の発光栓の組立断面図である。
【図６】本考案の発光栓の発光略図である。
【考案を実施するための形態】
【００１０】
以下、本考案の構造と特徴および効果を、最良実施例と図面を参照しながら詳細に説明する。本考案に制限を加えるものではない。
【実施例】
【００１１】
図１及び図２は本考案の発光栓を両サイドの方向から見た立体外観略図である。本考案は一種の発光栓１であり、それに含まれるのは一つの導光体１０、一つの発光モジュール２０、一つの電源モジュール３０、一つの蓋４０及び一つの軟性スリーブ５０である。該発光モジュール２０及び電源モジュールを該導光体１０の中に設置し、該蓋４０及び該軟性スリーブ５０はそれぞれ該導光体１０の両サイドに結合することで、該発光栓１を構成する。更に該発光栓１の構造を詳細に説明する。
【００１２】
図３及び図４に示すのは、本考案の発光栓の立体分解略図及び発光モジュールと電源モジュールの立体分解略図である。本考案の一つの実施例において、該導光体１０は透光性のある材質で構成することができる。また、該導光体１０に含まれるのは一つの導光ホルダ１１及び該導光ホルダ１１と接続する一つの導光柱１２であり、且つ該導光ホルダ１１は一つの収納スペース１１０を具有する。
【００１３】
最良実施例として、該導光ホルダ１１及び該導光柱１２は一体式の構成である。この他、該導光柱１２の外縁面は螺旋状に一つの導光リブ１２１を成型する。該導光リブ１２１の設置により、有効的に光線を均等且つ柔らかく導き出し、ベストな発光効果を現す。この他、該導光柱１２は更にスティプリング、印刷模様或いは彫刻などの導光模様１２０を設置することで、導光効果を増す。
【００１４】
本実施例において、該導光ホルダ１１の該導光柱１２に近い片側に一つの導光角１１３を具有し、該導光角１１３の設置により、該発光モジュール２０が生じる光を、該導光柱１２にまで導くことができる。注意するのに値することは、本考案の一つの実施例において、該導光ホルダ１１の内壁面には更に一つの反射層１１４を設置し、その反射層１１４の設置により、発光効果を増す役割を持つ。
【００１５】
該発光モジュール２０は該導光ホルダ１１の収納スペース１１０の中に設置する。該発光モジュール２０に含まれるのは一つの回路基板２１及び該回路基板２１と電気接続する一つの発光部品２２である。本実施例において、該発光部品２２は一つの発光ダイオード(ＬＥＤ)であり、実際に実施する際には、それに制限されない。
【００１６】
該電源モジュール３０を該導光ホルダ１１２の収納スペース１１０の中に設置し、且つ該発光モジュール２０の片側面に位置する。該電源モジュール３０は該発光モジュール２０のパワーであり、それに含まれるのは、少なくとも一つのバッテリー３１及び少なくとも一つのバッテリー３１と電気接続する一つの接続部品３２である。その中、該接続部品３２は該回路基板３２と電気接続する。よって、該バッテリー３１は該回路基板３２を通じて、該発光部品２２と電気接続することができ、該発光部品２２が発光する際に必要とするパワーを提供する。本実施例において、該接続部品３２は一つの導電シートとして設置するが、実際実施する際には、一つの導線を設置するなどの接続方法にすることもできる。
【００１７】
更に説明することは、該バッテリー３１は乾電池、リチウム電池、ボタン電池或いは充電電池などを設置することができる。また、該電源モジュール３０は更に一つのタッチスイッチを含むことができる。該タッチスイッチは該回路基板３２と電気接続し、且つ該蓋４０に設置することができ、該発光部品２２を制御するために用いる。
【００１８】
該蓋４０を該導光ホルダ１１に結合し、且つ該収納スペース１１０を閉じる。
【００１９】
また、該軟性スリーブ５０は透光性のある材質で構成する。該軟性スリーブ５０を該導光柱１２の外に套合する。本考案の一つの実施例において、該軟性スリーブ５０に含まれるのは一つの引受部５１及び一つの回転固定部５２であり、該引受部５１は該導光ホルダ１１の底部に抵触し、該回転固定部５２の外縁面は螺旋状の一つの密閉リブ５２１に成型する。
【００２０】
具体的に、該導光体１０の導光柱１２の外縁面に螺旋状の一つの導光リブ１２１に成型する。また、該軟性スリーブ５０は該導光リブ１２１に対応し、内壁面に螺旋状の一つの導光溝５０１を成型する。該導光柱１２の導光リブ１２１は該導光溝５０１の中に定位する。
【００２１】
本考案の一つの実施例において、該発光栓１に更に含まれるのは一つの密閉リング６０である。該密閉リング６０を該導光ホルダ１１及び該蓋４０の間に設置することで、二者同士の密閉性を高める。また、該導光ホルダ１１は該収納スペース１１０に一つのリング溝１１１を成型する。また、該蓋４０は該リング溝１１１の上方の位置に対応して一つの圧盤４０１を具有する。よって、該密閉リング６０を該リング溝１１１内に設置し、且つ該圧盤４０１によって押えられることで、外部の空気或いは水が該収納スペース１１０に入るのを防止する。
【００２２】
最良実施例として、該導光ホルダ１１の内壁面は該リング溝１１１の底部に複数の抵触リブ１１２を成型する。該複数の抵触リブ１１２はしっかり該蓋４０の周囲に張り付くことで、該蓋４０を該導光ホルダ１１に固定する。本実施例において、該蓋４０に含まれるのは一つの蓋ボード４１及び該蓋ボード４１に接続する複数の支え部４２である。また、該複数の抵触リブ１１２は該複数の支え部４２の外側と抵触する。この他、該蓋ボード４１は一つの凹溝４１０を具有し、該蓋ボード４１は該凹溝４１０の中に一つの定位部４１１を成型する(本実施例は一対の凸リブによって一つの定位槽を形成する)。よって、本考案の発光栓１は該定位部４１１に力を加えて回転することで、移動できる。
【００２３】
説明したいのは、本実施例において、該発光モジュール２０は更に一つの設置台２３を含む。該設置台２３に該回路基板２１を載せ、且つ該発光部品２２に対応して一つの穴２３０を設ける。また、該発光部品２２の一部を該穴２３０の中に定位し、別の一部を該導光ホルダ１１の中に定位する。
【００２４】
更に図５及び図６に示すのは、それぞれ本考案の発光栓の組合せ断面図及び発光略図である。図５に示すように、本考案の発光栓１を組立てた後、該蓋４０と該導光体１０の間は、該密閉リング６０により密閉性に達し、よって該導光ホルダ１１内にある発光モジュール２０及び電源モジュール３０が良好な電気特性を維持することができる。更に該発光部品２２の一部は該導光ホルダ１１の中に位置することで、該発光部品２２が発する光は該導光ホルダ１１及び該導光柱１２に投射し、且つ該導光ホルダ１１及び該導光柱１２を通じて外部に投射する。
【００２５】
図６に示すのは、本考案の発光栓１を一つの瓶の口２に設置する。図に示すように、該発光栓１の軟性スリーブ５０を該導光体１０の導光柱１２の外に套合し、該瓶の口２の中を詰める。また、該導光体１０及び該軟性スリーブ５０はいずれも透光性のある材質で構成するため、該発光部品２２が発する光は、該導光ホルダ１１及び該導光柱１２に投射し、且つ該導光ホルダ１１を通じて外部に投射する。また、該導光柱１２に投射する光は、再び該軟性スリーブ５０を通して該瓶の口にまで投射することで、該発光栓１は該瓶の口２の近くまでも発光効果を具有することになる。その他、該導光柱１２の導光リブ１２１の設置により、有効的に光線を均等且つ柔らかく導き出し、外観全体の創造性及び独特性を極める。
【００２６】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２７】
１  発光栓
２  瓶の口
１０  導光体
１１  導光ホルダ
１１０  収納スペース
１１１  リング溝
１１２  抵触リブ
１１３  導光角
１１４  反射層
１２  導光柱
１２０  導光模様
１２１  導光リブ
２０  発光モジュール
２１  回路基板
２２  発光部品
２３  設置台
２３０  穴
３０  電源モジュール
３１  バッテリー
３２  接続部品
４０  蓋
４０１  圧盤
４１  蓋ボード
４１０  凹溝
４１１  定位部
４２  支え部
５０  軟性スリーブ
５０１  導光溝
５１  引受部
５２  回転固定部
５２１  密閉リブ
６０  密閉リング
【図１】
0003213210.tif 000003
【図２】
0003213210.tif 000004
【図３】
0003213210.tif 000005
【図４】
0003213210.tif 000006
【図５】
0003213210.tif 000007
【図６】
0003213210.tif 000008
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
導光体１０、発光モジュール２０、電源モジュール３０、蓋４０及び軟性スリーブ５０を含み、
該導光体１０は透光性のある材質で構成することができ、該導光体１０に含まれるのは導光ホルダ１１及び該導光ホルダ１１と接続する導光柱１２であり、且つ該導光ホルダ１１は収納スペース１１０を具有し、  
該発光モジュール２０は該収納スペース１１０の中に設置し、該発光モジュール２０に含まれるのは回路基板２１及び該回路基板２１と電気接続する発光部品２２であり、
該電源モジュール３０を該収納スペース１１０の中に設置し、該電源モジュール３０は少なくとも一つのバッテリー３１及び該バッテリー３１と電気接続する接続部品３２であり、
該蓋４０を該導光ホルダ１１に結合し、且つ該収納スペース１１０を閉じ、
該軟性スリーブ５０は透光性のある材質で構成し、該軟性スリーブ５０を該導光柱１２の外に套合し、且つ瓶の口２の中を詰めることができることを特徴とする発光栓１の構造。
【請求項２】
該導光柱１２の外縁面は螺旋状に導光リブ１２１を成型することを特徴とする請求項１記載の発光栓１の構造。
【請求項３】
該導光柱１２の外縁面は更にスティプリング、印刷模様或いは彫刻などの導光模様１２０を設置することを特徴とする請求項１記載の発光栓１の構造。
【請求項４】
更に密閉リング６０を含み、該密閉リング６０を該導光ホルダ１１及び該蓋４０の間に設置し、該導光ホルダ１１は該収納スペース１１０にリング溝１１１を成型し、該蓋４０は該リング溝１１１の上方の位置に対応して圧盤４０１を具有し、該密閉リング６０を該リング溝１１１内に設置し、且つ該圧盤４０１によって押えられることを特徴とする請求項１記載の発光栓１の構造。
【請求項５】
該導光ホルダ１１の該導光柱１２に近い片側に導光角１１３を具有し、該導光ホルダ１１の内壁面には更に反射層１１４を設置することを特徴とする請求項１記載の発光栓１の構造。  
【請求項６】
該導光ホルダ１１の内壁面は該リング溝１１１の底部に複数の抵触リブ１１２を成型し、該複数の抵触リブ１１２はしっかり該蓋４０に張り付き、該蓋４０に含まれるのは蓋ボード４１及び該蓋ボード４１に接続する複数の支え部４２であり、該複数の抵触リブ１１２は該複数の支え部４２の外側と抵触することを特徴とする請求項４記載の発光栓１の構造。
【請求項７】
該蓋ボード４１は凹溝４１０を具有し、該蓋ボード４１は該凹溝４１０の中に定位部４１１を成型し、該発光栓１は該定位部４１１に力を加えることにより、該瓶の口２に相対して移動できることを特徴とする請求項６記載の発光栓１の構造。
【請求項８】
該発光モジュール２０は更に設置台２３を含み、該設置台２３に該回路基板２１を載せ、且つ該発光部品２２に対応して穴２３０を設け、該発光部品２２の一部を該穴２３０の中に定位し、別の一部を該導光ホルダ１１の中に定位することを特徴とする請求項１記載の発光栓１の構造。
【請求項９】
該軟性スリーブ５０に含まれるのは引受部５１及び回転固定部５２であり、該引受部５１は該導光ホルダ１１の底部に抵触し、該回転固定部５２の外縁面は螺旋状の密閉リブ５２１に成型することを特徴とする請求項１記載の発光栓１の構造。
【請求項１０】
該導光柱１２の外縁面に螺旋状の導光リブ１２１に成型し、該軟性スリーブ５０は該導光リブ１２１に対応し、螺旋状の導光溝５０１を成型し、該導光リブ１２１は該導光溝５０１の中に定位することを特徴とする請求項１記載の発光栓１の構造。